(57)【要約】【課題】塔状建物を下部から解体するにあたり、解体作業のための基礎の新設工事や、塔状建物の解体後における解体作業用基礎の撤去工事を不要にした経済的な塔状建物の解体方法を実現する。【解決手段】塔状建物１を建物上部躯体２と建物下部躯体３に分離し、建物下部躯体３を支持架台に利用して建物上部躯体２をジャッキダウンすることにより、建物下部躯体２の上面を作業床１６にして、建物上部躯体２を下層から順次解体し、しかる後、地上からの作業により建物下部躯体３を解体する。【選択図】図２
2010242362.tif 000002
【特許請求の範囲】
【請求項１】
塔状建物を建物上部躯体と建物下部躯体に分離し、建物下部躯体を支持架台に利用して建物上部躯体をジャッキダウンすることにより、建物上部躯体を下層から順次解体し、しかる後、地上からの作業により建物下部躯体を解体することを特徴とする塔状建物の解体方法。
【請求項２】
塔状建物を建物上部躯体と建物下部躯体に分離し、建物下部躯体を支持架台に利用して建物上部躯体をジャッキダウンすることにより、建物上部躯体をその一部が残存する状態に下層から順次解体し、しかる後、地上からの作業により残存させた建物上部躯体及び建物下部躯体をこの順に解体することを特徴とする請求項１に記載の塔状建物の解体方法。
【請求項３】
上部が展望室に形成された上部フレームと展望室上部に立設されたアンテナ用鉄塔とから構成された建物上部躯体と建物下部躯体とを備えた塔状建物において、建物上部躯体を囲繞する水平固定用の仮設フレームを建物下部躯体に支持させた状態に設け、建物上部躯体と建物下部躯体に分離し、仮設フレームに設置したセンターホールジャッキを用いて建物上部躯体をジャッキダウンすることにより、建物下部躯体の上面を作業床にして、展望室より下の上部フレームを下層から順次解体し、しかる後、クレーン車等を用いた地上からの作業により、アンテナ用鉄塔を撤去し、次いで、展望室と建物下部躯体をこの順に解体することを特徴とする請求項２に記載の塔状建物の解体方法。
【請求項４】
建物下部躯体の周囲に、荷降ろしステージ、仮設エレベータ、枠組足場を設置した後、建物上部躯体を囲繞する水平固定用の仮設フレームを建物下部躯体に支持させた状態に設けることを特徴とする請求項３に記載の塔状建物の解体方法。
【発明の詳細な説明】
【技術分野】
【０００１】
本発明は、例えば、上部が展望室に形成された四角柱状の上部フレームと展望室上部に立設されたアンテナ用鉄塔とから構成されたＳ造の建物上部躯体とＳＲＣ造の建物下部躯体とを備えた塔状建物や、中間階に展望床があるような高い鉄塔などに代表されるアスペクト比の高い塔状建物を下部から解体するための方法に関する。
【背景技術】
【０００２】
例えば、１００メートルを超えるような高い塔状建物をジャッキダウンしながら下部から順次解体して行く場合、従来では、特許文献１，２に見られるように、塔状建物の周囲に、クレーン車等を用いた地上からの作業で解体できる高さの仮設櫓を構築し、仮設櫓に設置したセンターホールジャッキを用いて建物上部をジャッキダウンする手法が採用されていた。
【０００３】
この場合、仮設櫓には、塔状建物を上下に分離した際、分離位置から上方の建物の全重量が作用し、その重量は仮設櫓を介して地盤に伝達されることになる。
【０００４】
そのため、上記の従来方法では、仮設櫓の直下に仮設櫓と建物上部の全重量を支持する基礎が必要であり、工期、工費の両面で不利である。即ち、塔状建物の周囲には、通常、不必要な基礎は設けられていないので、上記の従来方法による場合は、塔状建物の基礎の周囲に、解体作業のための基礎（仮設櫓の基礎）を新設することになり、しかも、この基礎は、塔状建物の解体後、撤去する必要があり、それらの結果として、工期も長くなり、非常に不経済である。
【０００５】
尚、特許文献１の従来方法においては、ジャッキダウンした建物上部の下端を仮設櫓の中段に設けられた作業床に載置し、仮設櫓の上端側で建物上部を拘束した状態で、作業床に載置された部分を解体するように構成されているので、仮設櫓として、仮設資材量の多い作業床付きの仮設フレームが用いられることに加え、仮設フレームに対する作業床の構築作業や塔状建物解体後における作業床の撤去作業が必要であり、この点でも不経済である。
【先行技術文献】
【特許文献】
【０００６】
【特許文献１】特開昭５３−６９４３７号公報
【特許文献２】特開昭６１−１９６０７２号公報
【発明の概要】
【発明が解決しようとする課題】
【０００７】
本発明は、上記の問題点を踏まえて成されたものであって、その目的とするところは、塔状建物を下部から解体するにあたり、解体作業のための基礎（仮設櫓の基礎）の新設工事や、塔状建物の解体後における仮設櫓用基礎の撤去工事を不要にした経済的な解体方法を実現することにある。
【課題を解決するための手段】
【０００８】
上記の目的を達成するために本発明が講じた技術的手段は、次のとおりである。即ち、請求項１に記載の発明による塔状建物の解体方法は、塔状建物を建物上部躯体と建物下部躯体に分離し、建物下部躯体を支持架台に利用して建物上部躯体をジャッキダウンすることにより、建物上部躯体を下層から順次解体し、しかる後、地上からの作業により建物下
部躯体を解体することを特徴としている。
【０００９】
請求項２に記載の発明は、請求項１に記載の塔状建物の解体方法であって、塔状建物を建物上部躯体と建物下部躯体に分離し、建物下部躯体を支持架台に利用して建物上部躯体をジャッキダウンすることにより、建物上部躯体をその一部が残存する状態に下層から順次解体し、しかる後、地上からの作業により残存させた建物上部躯体及び建物下部躯体をこの順に解体することを特徴としている。
【００１０】
請求項３に記載の発明は、請求項２に記載の発明をより具体化したものである。即ち、請求項３に記載の発明は、請求項２に記載の塔状建物の解体方法であって、上部が展望室に形成された上部フレームと展望室上部に立設されたアンテナ用鉄塔とから構成された建物上部躯体と建物下部躯体とを備えた塔状建物において、建物上部躯体を囲繞する水平固定用の仮設フレームを建物下部躯体に支持させた状態に設け、建物上部躯体と建物下部躯体に分離し、仮設フレームに設置したセンターホールジャッキを用いて建物上部躯体をジャッキダウンすることにより、建物下部躯体の上面を作業床にして、展望室より下の上部フレームを下層から順次解体し、しかる後、クレーン車等を用いた地上からの作業により、アンテナ用鉄塔を撤去し、次いで、展望室と建物下部躯体をこの順に解体することを特徴としている。
【００１１】
請求項４に記載の発明は、請求項３に記載の塔状建物の解体方法であって、建物下部躯体の周囲に、荷降ろしステージ、仮設エレベータ、枠組足場を設置した後、建物上部躯体を囲繞する水平固定用の仮設フレームを建物下部躯体に支持させた状態に設けることを特徴としている。
【発明の効果】
【００１２】
請求項１に記載の発明によれば、塔状建物を建物上部躯体と建物下部躯体に分離し、建物下部躯体を支持架台に利用して建物上部躯体をジャッキダウンすることにより、建物上部躯体を下層から順次解体するので、塔状建物の基礎がそのまま解体作業のための基礎として利用されることになる。従って、解体作業のための基礎（仮設櫓の基礎）の新設工事や、塔状建物の解体後における仮設櫓用基礎の撤去工事が不要になり、工期、工費の両面で有利であり、非常に経済的である。また、建物下部躯体については地上からの作業によって解体するので、ジャッキダウン工法に比して迅速に解体することが可能である。
【００１３】
尚、請求項１に記載の発明は、建物上部躯体の全部を下層から順次解体した後、地上からの作業により建物下部躯体を解体する場合と、建物上部躯体をその一部が残存する状態に下層から順次解体した後、地上からの作業により、残りの建物上部躯体及び建物下部躯体をこの順に解体する場合とを包含している。即ち、建物上部躯体の形状や構造によっては、請求項２に記載のように、建物上部躯体の一部を残存させる状態に下層から順次解体した後、地上からの作業によって、残存させた建物上部躯体と、建物下部躯体をこの順に解体する方が、解体工事全体の迅速化を図ることができ、合理的である。
【００１４】
請求項３に記載の発明によれば、上部が展望室に形成された上部フレームと展望室上部に立設されたアンテナ用鉄塔とから構成された建物上部躯体と建物下部躯体とを備えた塔状建物において、建物上部躯体を囲繞する水平固定用の仮設フレームを建物下部躯体に支持させた状態に設け、建物上部躯体と建物下部躯体に分離し、仮設フレームに設置したセンターホールジャッキを用いて建物上部躯体をジャッキダウンするので、仮設フレーム及び建物上部躯体の全重量が建物下部躯体に支持されることになる。従って、塔状建物の基礎がそのまま仮設フレームの基礎（解体作業のための基礎）として利用されることになり、請求項１の発明と同じ効果がある。
【００１５】
殊に、請求項３に記載の発明によれば、建物下部躯体の上面を作業床にして、展望室より下の上部フレームを下層から順次解体するので、建物下部躯体の上面が作業床に利用されて、仮設の作業床が不要となり、仮設フレームに対する作業床の構築作業や塔状建物解体後における作業床の撤去作業が不要なため、一層経済的である。
【００１６】
また、建物上部躯体の全部を下層から順次解体するのではなく、建物上部躯体のうち、展望室とその上部のアンテナ用鉄塔を残存させ、クレーン車等を用いた地上からの作業により、アンテナ用鉄塔を撤去し、次いで、展望室と建物下部躯体をこの順に解体するようにしたので、解体工事全体の迅速化を図ることができ、合理的である。
【００１７】
請求項４に記載の発明によれば、建物下部躯体の周囲に、荷降ろしステージ、仮設エレベータ、枠組足場を設置した後、建物上部躯体を囲繞する水平固定用の仮設フレームを建物下部躯体に支持させた状態に設けるので、仮設フレームの構築作業を容易に行うことができる。
【図面の簡単な説明】
【００１８】
【図１】本発明に係る塔状建物の解体方法を説明する図である。
【図２】図１に続く塔状建物の解体方法の説明図である。
【図３】図２に続く塔状建物の解体方法の説明図である。
【図４】図３に続く塔状建物の解体方法の説明図である。
【図５】要部の横断平面図である。
【図６】要部の縦断正面図である。
【図７】要部の縦断正面図である。
【図８】本発明の他の実施形態を示す塔状建物の解体方法の説明図である。
【図９】図８に続く塔状建物の解体方法の説明図である。
【発明を実施するための形態】
【００１９】
以下、本発明の実施形態を図面に基づいて説明する。図１〜図７は、本発明に係る塔状建物の解体方法の一例を示す。図１の（Ａ）に示す１は、Ｓ造の建物上部躯体２とＳＲＣ造の建物下部躯体３とを備えた塔状建物である。建物上部躯体２は、上部が展望室４に形成された四角柱状の上部フレーム５と展望室４上部に立設されたアンテナ用鉄塔６とから構成されている。建物下部躯体３の上半側は上部フレーム５と同様な四角柱状で、四隅にＳＲＣ造の柱７が配置されている。柱７の上には建物上部躯体２の四隅に配置された円形鋼管よりなるＳ造の柱８が同芯状に連設されている。建物下部躯体３の柱７の下半側は夫々逆Ｖ字状の傾斜柱７ａに形成されており、傾斜柱７ａの下端は互いに連結されている。そして、傾斜柱７ａの連結部直下の地盤には、塔状建物の荷重を地盤に伝達する基礎（図示せず）が設けられている。
【００２０】
上記の塔状建物１を下部から解体するにあたっては、先ず、図１の（Ｂ）に示すように、ラフター等のクレーン車ａを用いた地上からの作業によって、建物下部躯体３の周囲に、荷降ろしステージ９、仮設エレベータ（図示せず）、枠組足場１０を設置する。
【００２１】
しかる後、図２の（Ａ）に示すように、建物上部躯体２を囲繞して、建物上部躯体２の水平移動を拘束する水平固定用の仮設フレーム１１を建物下部躯体３に支持させた状態に設ける。仮設フレーム１１の設置作業は、ラフター等のクレーン車ａ、建物下部躯体３の周囲に設置された荷降ろしステージ９、仮設エレベータ、枠組足場１０等を用いて行われることになる。
【００２２】
仮設フレーム１１は、鉄骨梁や鉄骨ブレースで枠組みされたものであって、図５に示すように、四角柱状の上部フレーム５を当該上部フレーム５の四面と平行状に囲繞する角筒
状に枠組みされている。図５に示す１２は、建物上部躯体２の展望室４と建物下部躯体３の下端部とにわたって設けられたエレベータシャフトである。仮設フレーム１１の四隅部上部には、既知構造のセンターホールジャッキ１３が、建物上部躯体２の柱８を挟んで、２台ずつ設置されている。
【００２３】
仮設フレーム１１を建物下部躯体３に支持させた状態に設けるにあたっては、種々の具体的な構成を採用できるが、この実施形態においては、図６、図７に示すように、仮設フレーム１１における各辺の下端近傍部を、建物下部躯体３のパラペットや梁に、ＰＣ鋼材１４と締付けナット１５による圧着工法により、仮設フレーム１１の自重及び仮設フレーム１１に作用する荷重を建物下部躯体３に伝達できるように固定して、建物下部躯体３を支持架台として利用するように構成されている。
【００２４】
そして、上記の塔状建物１を建物上部躯体２と建物下部躯体３に分離し、図２の（Ｂ）、図３の（Ａ）、図６、図７に示すように、仮設フレーム１１に設置されたセンターホールジャッキ１３を用いて建物上部躯体２をジャッキダウンすることにより、展望室４より下の上部フレーム５を下層から順次解体する。この解体作業（切断と切断した部分の解体撤去）は、図６、図７に示すように、建物下部躯体３の上面（屋根スラブ）を作業床１６にして行われる。それ故、仮設フレーム１１には仮設の作業床が設けられていない。図６、図７に示す１３ａはセンターホールジャッキ１３で昇降駆動される継足し式の吊下げロッドである。１３ｂは柱８を挟んだ状態に支持する二つ割可能な構造のクランプ機構であり、吊下げロッド１３ａの下端部に着脱自在に連結されている。
【００２５】
次に、図３の（Ｂ）に示すように、ラフター等のクレーン車ａを用いた地上からの作業によって仮設フレーム１１を解体撤去した後、図４の（Ａ）に示すように、揚程の大きなタワーフロント方式のクレーン車ｂを用いた地上からの作業により、アンテナ用鉄塔６を撤去し、次いで、図４の（Ｂ）、（Ｃ）に示すように、走行式解体機ｃを用いた地上からの作業によって展望室４と建物下部躯体３をこの順に解体することになる。
【００２６】
上記の構成によれば、上部が展望室４に形成された上部フレーム５と展望室４上部に立設されたアンテナ用鉄塔６とから構成された建物上部躯体２と建物下部躯体３とを備えた塔状建物１において、建物上部躯体２を囲繞する水平固定用の仮設フレーム１１を建物下部躯体３に支持させた状態に設け、建物上部躯体２と建物下部躯体３に分離し、仮設フレーム１１に設置したセンターホールジャッキ１３を用いて建物上部躯体２をジャッキダウンするので、仮設フレーム１１及び建物上部躯体２の全重量が建物下部躯体３に支持されることになる。
【００２７】
従って、塔状建物１の基礎がそのまま仮設フレーム１１の基礎（解体作業のための基礎）として利用されることになり、解体作業のための基礎の新設工事や、塔状建物の解体後における解体作業用基礎の撤去工事が不要であるから、工期、工費の両面で有利であり、非常に経済的である。
【００２８】
殊に、上記の構成によれば、建物下部躯体３の上面を作業床１６にして、展望室４より下の上部フレーム５を下層から順次解体するので、建物下部躯体３の上面が作業床１６に利用されて、仮設の作業床が不要となり、仮設フレーム１１に対する作業床の構築作業や塔状建物１の解体後における作業床の撤去作業が不要なため、一層経済的である。
【００２９】
また、建物上部躯体２の全部を下層から順次解体するのではなく、建物上部躯体２のうち、展望室４とその上部のアンテナ用鉄塔６を残存させ、揚程の大きなクレーン車ｂを用いた地上からの作業により、アンテナ用鉄塔６を撤去し、次いで、揚程の小さなクレーン車ａや走行式解体機ｃを用いた地上からの作業により、展望室４と建物下部躯体３をこの
順に解体するようにしたので、解体工事全体の迅速化を図ることができ、合理的である。
【００３０】
また、建物下部躯体３の周囲に、荷降ろしステージ９、仮設エレベータ、枠組足場１０を設置した後、建物上部躯体２を囲繞する水平固定用の仮設フレーム１１を建物下部躯体３に支持させた状態に設けるので、仮設フレーム１１の構築作業もこれらの設備を利用して容易に行うことができる。
【００３１】
図８、図９は、本発明の他の実施形態を示す。この実施形態は、解体方法の対象とする塔状建物１が、図８の（Ａ）に示すように、中間階に展望床１７のある先尖な形状の高い鉄塔であって、図８の（Ｂ）、（Ｃ）に示すように、展望床１７の上に水平固定用の仮設フレーム１１を設置し、展望床１７を支持架台に利用して建物上部躯体２をジャッキダウンする点に特徴がある。
【００３２】
即ち、この実施形態においては、図８の（Ｂ）に示すように、ラフター等のクレーン車ａを用いた地上からの作業によって、展望床１７の上に、水平固定用の仮設フレーム１１を展望床１７で支持された状態に設置した後、展望床１７の上面を作業床１６にして、塔状建物１を展望床１７より上方の建物上部躯体２と展望床１７を含む建物下部躯体３とに分離し、図８の（Ｃ）、図９の（Ａ）、（Ｂ）に示すように、建物下部躯体３の展望床１７を支持架台に利用して建物上部躯体２をジャッキダウンすることにより、建物上部躯体２を下層から順次解体している。具体的には、展望床１７の上面を作業床１６にして、建物上部躯体２の切断を行い、仮設フレーム１１の四隅に設けられたセンターホールジャッキ１３で建物上部躯体２を下降し、下端を地上に載置した状態で、下降した部分の解体作業を行っている。
【００３３】
地上に建物上部躯体２の重量を支えるに足る頑丈な基盤が無い場合には、図８の（Ｂ）、図９の（Ａ）、（Ｂ）に示すように、地上に既存の基礎（例えば、杭頭や杭頭のフーチング）の間を繋ぐ仮設梁１８を設置し、ジャッキダウンした建物上部躯体２の下端を仮設梁１８に載置して、解体作業を行うようにすればよい。
【００３４】
上記の塔状建物１は、建物上部躯体２が上方に行くにつれて次第に細くなる形状となっているため、建物上部躯体２を囲繞して、建物上部躯体２の水平移動を拘束する水平固定用の仮設フレーム１１としては、解体作業が進むにつれて、平面的な大きさを縮小するように構成されている。
【００３５】
解体作業が進むにつれて仮設フレーム１１の平面的な大きさを縮小する手段としては、例えば、平面視で四角形状を呈する仮設フレーム１１の四辺を各々伸縮可能な構造とし、各辺に設けた油圧シリンダーを互いに同期して縮小作動させることが採用される。仮設フレーム１１の四隅に設けられるセンターホールジャッキ１３は、仮設フレーム１１に対して水平な支軸周りに揺動可能な構成とし、仮設フレーム１１の平面的な大きさを縮小しても、センターホールジャッキ１３の軸芯（継足し式の吊下げロッド１３ａ）を鉛直姿勢に修正できるように構成されている。
【００３６】
ジャッキダウンを繰り返して、建物上部躯体２の全部を解体したら、図９の（Ｃ）に示すように、走行式解体機ｃを用いた地上からの作業によって、仮設フレーム１１を解体撤去し、しかる後、図９の（Ｄ）に示すように、展望床１７を含む建物下部躯体３を解体撤去するのである。その他の構成、作用は、図１〜図７の実施形態と同じであるため、説明を省略する。
【００３７】
尚、解体作業が進むにつれて仮設フレーム１１の平面的な大きさを縮小させる構成に代え、仮設フレーム１１の四隅に、建物上部躯体２の柱８に向けて伸縮作動する水平固定用
の油圧ジャッキを設け、これらの油圧ジャッキで建物上部躯体２の水平移動を拘束するように構成してもよい。この場合、センターホールジャッキ１３の位置を内側に移動可能とし、センターホールジャッキ１３の内側への移動により、センターホールジャッキ１３の軸芯（継足し式の吊下げロッド１３ａ）を鉛直姿勢に修正することになる。
【産業上の利用可能性】
【００３８】
本発明の解体方法は、上部が展望室に形成された四角柱状の上部フレームと展望室上部に立設されたアンテナ用鉄塔とから構成されたＳ造の建物上部躯体とＳＲＣ造の建物下部躯体とを備えた塔状建物や、中間階に展望床があるような高い鉄塔の他、超高層ビルのようなアスペクト比の高い建物の解体にも利用できる。
【符号の説明】
【００３９】
ａ、ｂ  クレーン車
ｃ  走行式解体機
１  塔状建物
２  建物上部躯体
３  建物下部躯体
４  展望室
５  上部フレーム
６  アンテナ用鉄塔
７  建物下部躯体の柱
８  建物上部躯体の柱
９  荷降ろしステージ
１０  枠組足場
１１  仮設フレーム
１２  エレベータシャフト
１３  センターホールジャッキ
１３ａ  継足し式の吊下げロッド
１３ｂ  クランプ機構
１４  ＰＣ鋼材
１５  ナット
１６  作業床
１７  展望床
１８  仮設梁
【図１】
2010242362.tif 000003
【図２】
2010242362.tif 000004
【図３】
2010242362.tif 000005
【図４】
2010242362.tif 000006
【図５】
2010242362.tif 000007
【図６】
2010242362.tif 000008
【図７】
2010242362.tif 000009
【図８】
2010242362.tif 000010
【図９】
2010242362.tif 000011